(57)【要約】【課題】本発明は顔に装着して美容効果を増進させる美顔用マスク及びその製造方法に関し、マスク本体に設けられた突起により指圧効果を確実に得ることができるようにすることを課題とする。【解決手段】被装着者Ａの顔を覆うように装着される美顔用マスクであって、マスク本体１１の内面１０ａの形状を被装着者Ａの個々の顔形状に一致した形状とすると共に、このマスク本体１１の内面１０ａで被装着者Ａの顔のつぼ位置に、被装着者Ａの顔を押圧（指圧）する突起１５を設ける。【選択図】  図１
2011110152.tif 000002
【特許請求の範囲】
【請求項１】
被装着者の顔に装着される美顔用マスクであって、
マスク本体の内面形状を前記被装着者の個々の顔形状に一致した形状とすると共に、
前記マスク本体の内面で、前記被装着者の顔のつぼ位置に前記被装着者の顔を押圧する突起を設けたことを特徴とする美顔用マスク。
【請求項２】
前記突起は前記マスク本体と一体的に形成されてなる請求項１記載の美顔用マスク。
【請求項３】
前記突起の先端部に永久磁石を配設したことを特徴とする請求項１又は２記載の美顔用マスク。
【請求項４】
被装着者の顔に装着される美顔用マスクの製造方法であって、
撮像装置と画像生成装置とを有する三次元計測ユニットを用い、前記被装着者の顔の三次元画像データを取り込むステップと、
前記三次元画像データに基づき、前記被装着者の顔のつぼ位置に対応する位置に突起を有すると共に前記被装着者の顔形状に対応した美顔用マスクの成形を行うステップと
を有することを特徴とする美顔用マスクの製造方法。
【請求項５】
前記突起に永久磁石を装着するステップを有することを特徴とする請求項４記載の美顔用マスクの製造方法。
【発明の詳細な説明】
【技術分野】
【０００１】
本発明は美顔用マスク及びその製造方法に係り、特に顔に装着して美容効果を増進させる美顔用マスク及びその製造方法に関する。
【背景技術】
【０００２】
一般に、美顔の方法の一つとして、顔のつぼを指圧したりマッサージしたりすることが行われている。この美顔の手法としては、施術者或いは本人が指によりつぼを指圧等することが一般的である。これにより施術位置における血行の増進及び代謝の向上等を図ることができ、当該つぼに対応した適応症状の改善を図ることができる。
【０００３】
しかしながら、施術者或いは本人等の人の指による指圧では、一度に多数のつぼを指圧することはできず、また指による指圧では施術者或いは本人の負担が大きくなってしまう。これを改善するため、顔に触れる内側の複数個所に突起を設けた美顔マスクが提供されている（特許文献１）。この美顔マスクを顔に装着することにより、複数のつぼを同時に指圧できると共に指で指圧する方法に比べて施術を行う者の負担を軽減することができる。
【先行技術文献】
【特許文献】
【０００４】
【特許文献１】特開２０００−２０１７３４号公報
【発明の概要】
【発明が解決しようとする課題】
【０００５】
従来では、マスクの大きさは通常Ｌ，Ｍ，Ｓの３タイプ程度の大きさしか用意されていないのが一般的であり、マスクを装着する個々の使用者の顔に対応して個々にマスクを作成することは行われていなかった。また、マスクの材質はシリコンゴム等の可撓変形するものが一般的であり、顔に装着した際には必然的にある程度の変形を伴ってしまう。
【０００６】
これに対し、顔に存在するつぼは３０箇所以上の多数箇所に及び、よって隣接するつぼの位置も近接している。よって、所望する指圧による効果を得ようとした場合、当該効果に対応するつぼの位置を正確に指圧する必要がある。
【０００７】
しかしながら従来のマスクは、上記のようにマスクの大きさがマスクの被装着者の顔の形状に正確に一致していないため、マスクに設けられた突起が所望する効果を実現できるつぼの位置からずれてしまう可能性が高い。
【０００８】
また、美顔マスクの形状が被装着者の顔の形状と一致していないため、美顔マスクの内面と顔との離間距離は均一でなく、近接した部位と離間した部位が発生してしまう。このため、近接した位置に設けられた突起は顔を強く指圧することとなり、逆に離間した位置に設けられた突起ではその指圧力が弱くなる。このように、従来の美顔マスクでは、複数設けられた突起位置で均一の指圧力を得ることが困難であった。
【０００９】
このように従来の指圧用の美顔マスクでは、指圧位置が不正確になると共に、指圧力が不均一になり、よって所望する美顔効果を得ることができないという問題点があった。
【００１０】
本発明は上記の点に鑑みてなされたものであり、マスク本体に設けられた突起により指圧効果を確実に得ることができる美顔用マスク及びその製造方法を提供することを目的とする。
【課題を解決するための手段】
【００１１】
上記の課題は、第１の観点からは、
被装着者の顔に装着される美顔用マスクであって、
マスク本体の内面形状を前記被装着者の顔形状に一致した形状とすると共に、
前記マスク本体の内面で、前記被装着者の顔のつぼ位置に前記被装着者の顔を押圧する突起を設けたことを特徴とする美顔用マスクにより解決することができる。
【００１２】
また上記の課題は、第２の観点からは、
被装着者の顔に装着される美顔用マスクの製造方法であって、
撮像装置と画像生成装置とを有する三次元計測ユニットを用い、前記被装着者の顔の三次元画像データを取り込むステップと、
前記三次元画像データに基づき、前記被装着者の顔のつぼ位置に対応する位置に突起を有すると共に前記被装着者の顔形状に対応した美顔用マスクの成形を行うステップとを有することを特徴とする美顔用マスクの製造方法により解決することができる。
【発明の効果】
【００１３】
開示の美顔用マスクによれば、マスク本体の内面が被装着者の個々の顔形状に一致した形状を有しているため、被装着者の顔におけるつぼの位置に突起を正確に設けることができ、所望する適応症状に対応したつぼに正確に突起を押し当てることができる。また、被装着者の顔とマスク本体の内面との離間距離を一定とすることができるため、突起の形成位置に拘わらず、突起による指圧力を均一化させることが可能となる。また、開示の美顔用マスクの製造方法によれば、突起をつぼの位置に正確に形成することができる。
【図面の簡単な説明】
【００１４】
【図１】図１は本発明の第１実施形態である美顔用マスクを装着している状態を示す部分断面図である。
【図２】図２は、本発明の第１実施形態である美顔用マスクの製造方法を説明するための図である（その１）。
【図３】図３は、本発明の第１実施形態である美顔用マスクの製造方法を説明するための図である（その２）。
【図４】図４は、本発明の第１実施形態である美顔用マスクの製造方法を説明するための図である（その３）。
【図５】図５は、本発明の第１実施形態である美顔用マスクの製造方法を説明するための図である（その４）。
【図６】図６は、本発明の第１実施形態である美顔用マスクの製造方法を説明するための図である（その５）。
【図７】図７は、本発明の第２実施形態である美顔用マスクを装着している状態を示す部分断面図である。
【発明を実施するための形態】
【００１５】
次に、本発明の実施の形態について図面と共に説明する。
【００１６】
図１は、被装着者Ａが本発明の第１実施形態である美顔用マスク１０を装着した状態を示している。同図に示すように、本実施形態に係る美顔用マスク１０は、被装着者Ａの顔を覆うように装着される美顔用のマスクである。しかしながら、美顔用マスクを被装着者Ａの顔に部分的に装着する構成（例えば、鼻から下の部分に装着する構成）とすることも可能である。
【００１７】
美顔用マスク１０は、マスク本体１１と突起１５とを有した構造とされている。このマスク本体１１は、後述する指圧を行うのに適した硬さを有している。具体的には、マスク本体１１は、アモルファス・ポリエチレンテレフタレート（Ａ−ＰＥＴ）、ポリ塩化ビニル（ＰＶＣ）、発泡ポリエチレン（発泡ＰＥ）等の樹脂により形成されている。尚、マスク本体１１は、被装着者Ａの鼻及び口に対向する位置に図示しない通気孔が設けられており、美顔用マスク１０の装着時に被装着者Ａが息苦しくならないよう構成されている。
【００１８】
また、本実施形態に係る美顔用マスク１０は、突起１５の形成位置を除き、マスク本体１１の内面１０ａが被装着者Ａの顔形状に一致した形状を有するよう構成されている。即ち、個々の被装着者Ａはそれぞれ異なる顔立ちを有し、よって顔表面の凹凸形状も異なっている。本実施形態では美顔用マスク１０をいわゆるオーダーメードで製造することにより、その内面１０ａを個々の被装着者Ａの顔表面の形状に一致させた（沿った）形状としている。
【００１９】
これにより、被装着者Ａが美顔用マスク１０を装着した際、美顔用マスク１０は被装着者Ａの顔にフィットした（密着した）状態となる。ここで、美顔用マスク１０が被装着者Ａの顔にフィットするとは、美顔用マスク１０（マスク本体１１）の内面１０ａと被装着者Ａの顔表面とが接触した状態或いは一定の間隔以下（例えば１mm以下）である状態をいうものとする。
【００２０】
突起１５は美顔用マスク１０の内面１０ａに一体的に複数設けられており、顔のつぼを押圧（指圧）する機能を奏するものである。突起１５を被装着者Ａの顔のつぼを指圧することにより、被装着者Ａの血行の増進及び代謝の向上等を図ることができ、当該つぼに対応した適応症状の改善を図ることができる。
【００２１】
ところで、顔には３０箇所以上の多数のつぼが存在し、また被装着者が望む改善したい症状も個々で異なっている。また、各つぼの位置は近接しており、よって所望する指圧による効果を得ようとした場合、当該効果に対応するつぼの位置を正確に指圧する必要があることは前述した通りである。
【００２２】
これに対し、本実施形態に係る美顔用マスク１０は、個々の被装着者に対応して個別に製造されるオーダーメードのマスクである。よって、個々の被装着者が改善したいと望む症状に対応したつぼの位置に突起１５を正確に設けることが可能となる。
【００２３】
また、各つぼにおいて、効果的な指圧力（指圧する強さ）も異なっている。本実施形態に係る美顔用マスク１０は、前記のように被装着者Ａの顔にフィットしているため、突起１５の内面１０ａからの高さにより指圧力を調整することができる。具体的には、強く指圧を行いたいつぼに対応する突起１５は、通常の指圧を行いたいつぼに対応する突起１５に対して高く設定することにより、指圧力を調整することができる。
【００２４】
上記構成とされた美顔用マスク１０を用いて指圧を行うには、先ず被装着者Ａの顔に美顔用マスク１０装着した上で、被装着者Ａが美顔用マスク１０を顔に向けて押圧する。これにより、美顔用マスク１０の内面１０ａに形成された突起１５は、被装着者Ａが望む改善したい症状に対応したつぼを正確に、また適正な押圧力で押圧（指圧）する。よって、美顔用マスク１０によれば、被装着者Ａの血行の増進及び代謝の向上等を図ることができ、当該つぼに対応した適応症状の改善を図ることができる。
【００２５】
次に、上記構成とされた美顔用マスク１０の製造方法について説明する。
【００２６】
図２乃至図６は、美顔用マスク１０の製造方法を製造手順に沿って示している。美顔用マスク１０を製造するには、先ず被装着者Ａの顔の三次元画像データを取り込む。この被装着者Ａの顔の三次元画像データを取り込むには、図２に示す三次元計測ユニット２０を用いる。三次元計測ユニット２０は、大略するとカメラ２１と画像生成装置２２とを有している。
【００２７】
カメラ２１はＣＣＤカメラであり、被装着者Ａの顔を撮像する。撮像された被装着者Ａの撮像データは、画像生成装置２２に送信される。この際、カメラ２１の解像度は高い方が望ましいが、市販されているデジタルカメラ程度の解像度であっても対応可能である。
【００２８】
本実施形態では、パーソナルコンピュータにより画像生成装置２２を実現している。パーソナルコンピュータには、三次元画像生成用のソフトウェアがインストールされている。そして、この三次元画像生成用ソフトウェアが実行されることにより、カメラ２１から送信された撮像データに基づき被装着者Ａの三次元画像データが生成される。
【００２９】
この被装着者Ａの三次元画像データは、図示しない三次元精密加工装置に送られる。この三次元精密加工装置は多軸（例えば５軸）のマシニングセンターであり、被装着者Ａの三次元画像データに基づき基材を切削加工することにより、被装着者Ａの顔形状に対応した顔モデルを作製する。
【００３０】
図３は、このようにして作製された被装着者Ａの顔モデルを示している。この顔モデルは、後述する美顔用マスク１０を成形する工程において成形型として機能するものである（以下，顔モデルを成形型２３という）。上記の説明から明らかなように、成形型２３の表面２３ａの形状は被装着者Ａの顔形状と一致している。
【００３１】
次に、この成形型２３の被装着者Ａが改善したいと望む症状に対応したつぼの位置に、凹部１７を形成する。成形型２３を用いて美顔用マスク１０を成形した後、この凹部１７の形成位置に前記した突起１５が形成される。本実施形態では、この凹部１７を上記した図示しない三次元精密加工装置により形成する。しかしながら、三次元精密加工装置とは別箇の他のドリル装置等を用いて加工形成することも可能である。
【００３２】
また、凹部１７の深さは、突起１５の内面１０ａからの高さに相関する。即ち、凹部１７が深いほど突起１５は高くなり、逆に凹部１７が浅いと突起１５は低くなる。よって、凹部１７の深さは、形成された後の突起１５が各つぼに適した指圧力を実現できる高さに対応した深さとされている。
【００３３】
ここで、具体的な凹部１７の形成方法について説明する。
【００３４】
画像生成装置２２には、凹部１７を形成するための凹部加工データベースが設けられている。この凹部加工データベースには、顔に存在する複数のつぼの名称をアドレスとして、当該つぼの顔上の位置と、当該つぼにおける適正な指圧力を実現できる突起１５を形成しうる凹部１７の深さが格納されている。
【００３５】
被装着者Ａの成形型２３に対して凹部１７を形成する場合、先ず画像生成装置２２に被装着者Ａが改善したいと望む症状に対応したつぼの名称を入力する。画像生成装置２２は、入力されたつぼの名称からつぼの位置と凹部１７の深さを凹部加工データベースから読み取る。そして、この読み出されたつぼの位置及び凹部１７の深さに対し、補正処理を行うことにより凹部加工データを作成する。
【００３６】
ここで実施する補正処理は、つぼの位置及び凹部１７の深さを被装着者Ａの顔の形状に応じたものとするための処理である。即ち、凹部加工データベースに格納されているつぼの位置及び凹部１７の深さは、一般的モデルとなる顔形状を基準としたものである。しかしながら、被装着者の顔形状は種々であり、顔の小さい人も逆に大きい人もいる。
【００３７】
このため、先の工程において予め求められている被装着者Ａの三次元画像データに基づき、凹部加工データベースに格納されているつぼの位置及び凹部１７の深さを補正する。これにより、つぼの位置及び凹部１７の深さを被装着者Ａの顔の形状に対応したものにすることができる。このようにして演算された凹部加工データは、三次元精密加工装置に送信される。三次元精密加工装置は凹部加工データに基づき凹部１７の加工処理を実施する。図４は、上記のようにして凹部１７が加工された成形型２３を示している。
【００３８】
上記のようにして凹部１７を有する成形型２３が加工されると、この成形型２３を用いて美顔用マスク１０の成形を行う。図５は、成形型２３を用いて美顔用マスク１０の成形を行う工程を示している。
【００３９】
尚、上記した実施形態では、成形型２３を作製した後に、この成形型２３に凹部１７を形成する方法を示した。しかしながら、成形型２３の作製処理を行う前に画像生成装置２２に対して被装着者Ａが希望するつぼの位置を入力することにより、凹部１７の形成を成形型２３の作製と同時に行う構成としてもよい。また、被装着者Ａの希望するつぼ位置の入力においては、被装着者Ａの三次元画像データを画像生成装置２２の表示装置（液晶画面等）に表示させ、この画像に希望するつぼ位置をマーキングすることにより入力する方法を用いてもよい。
【００４０】
美顔用マスク１０の成形処理は、真空成形装置３５を用いて実施される。この真空成形装置３５は、成形型２３、ヒータ２４、マスク素材２５、及び成形用基台２７等により構成されている。
【００４１】
成形型２３は、同図に示すように成形用基台２７の上部に搭載される。成形用基台２７は、成形型２３が搭載される面に多数の吸引孔２８が形成されている。また、成形用基台２７の内部には空間部２７ａが形成されており、吸引孔２８はこの空間部２７ａに連通している。
【００４２】
更に、成形用基台２７の側部に形成された通路２９は図示しない真空ポンプに接続されている。よって、真空ポンプが起動することにより空間部２７ａ内は負圧となり、吸引孔２８の形成位置では吸引処理が行われる。この吸引力により、成形型２３は成形用基台２７に固定される。
【００４３】
マスク素材２５は、美顔用マスク１０となる素材シートである。前記したように、マスク素材２５の材質としては、Ａ−ＰＥＴ、ＰＶＣ、発泡ＰＥ等の樹脂を用いることができる。本実施形態では、マスク素材２５として熱成形性（真空成形性）、ガスバリヤー性、衛生性、耐薬品性等に優れたＡ−ＰＥＴを用いている。
【００４４】
このマスク素材２５の外周は、枠材２６により保持されている。また、マスク素材２５の上部にはヒータ２４が配設されている。マスク素材２５は、このヒータ２４により加熱されて軟化する。
【００４５】
上記構成を有した真空成形装置３５を用いて美顔用マスク１０の成形を行うには、先ず成形型２３を成形用基台２７に装着する。この際、まだ真空ポンプは停止された状態であり、よって吸引力は作用していない。次に、枠材２６を下動させてマスク素材２５を成形型２３の表面２３ａ上に載置させる。
【００４６】
このように、成形用基台２７に対する成形型２３及びマスク素材２５の装着処理が終了すると、ヒータ２４及び真空ポンプが起動される。ヒータ２４が起動することにより、マスク素材２５は加熱されて軟化した状態となる。
【００４７】
尚、本実施形態では、マスク素材２５に対する加熱をマスク素材２５が成形型２３に当接した後に開始する方法を示している。しかしながら、マスク素材２５が成形型２３上に載置する前から、上部に位置するヒータ２４により予熱する構成としてもよい。また、成形型２３の表面に、予め離型材を塗布しておいてもよい。
【００４８】
マスク素材２５を保持する枠材２６は、成形用基台２７に吸着されることにより密着固定される。そして、マスク素材２５は枠材２６の内面で成形用基台２７により真空吸引処理が行われるため、成形型２３の表面２３ａに密着する。
【００４９】
前記のようにマスク素材２５はヒータ２４により加熱されることにより軟化しているため、よってマスク素材２５は成形型２３の表面２３ａに隙間なく密着した状態となる。この際、マスク素材２５は成形型２３に形成された凹部１７内にも入り込み、よって突起１５が形成される。
【００５０】
このようにマスク素材２５が成形型２３の表面２３ａに密着されると、ヒータ２４を停止させる。これによりマスク素材２５の温度は低下し、マスク素材２５は樹脂硬化し、突起１５が一体的に形成されたマスク本体１１が形成される。このようにマスク本体１１が形成されると、図６に示すようにマスク本体１１は成形型２３から離型され、これにより美顔用マスク１０が製造される。
【００５１】
このようにして製造された美顔用マスク１０は、その内面１０ａの形状が被装着者Ａの顔形状に一致した形状となる。また、美顔用マスク１０の内面１０ａに形成される突起１５は、被装着者Ａが望む改善したい症状に対応したつぼの位置に、かつ適正な指圧力を発揮できる高さで高精度に形成される。
【００５２】
このように、本実施形態による美顔用マスク１０の製造方法では、被装着者Ａの顔形状と一致すると共に被装着者Ａの所望するつぼの位置に凹部１７を有した成形型２３を用いると共に、真空成形法により美顔用マスク１０を製造している。このため、被装着者Ａの顔形状と一致した内面１０ａを有し、所定のつぼ位置に突起１５を有する美顔用マスク１０を容易かつ正確に製造することができる。
【００５３】
また、三次元計測ユニット２０を構成する画像生成装置２２及び真空成形装置３５は、被装着者Ａの自宅に設置することは事実上困難である。よって、画像生成装置２２及び真空成形装置３５は、美顔用マスク１０の製造工場等（以下、マスク作製施設という）に設置される。しかしながら、被装着者Ａの顔の撮像処理は、上記のように市販されているデジタルカメラを用いることが可能であるため、自宅で行うことが可能である。
【００５４】
前記のように美顔用マスク１０はオーダーメードで製造されるが、デジタルカメラにより撮像した被装着者の画像データ（写真データ）は、ＳＤメモリカード（登録商標）等の記録媒体に記録することにより、又はインターネットを利用して送信することにより、容易にマスク作製施設に送付することができる。よって、オーダーメードの美顔用マスク１０であっても、個々の被装着者に対して美顔用マスク１０を容易かつ確実に提供することができる。
【００５５】
次に、本発明の第２実施形態である美顔用マスクについて説明する。図７は、本発明の第２実施形態である美顔用マスク４０を示している。尚、図７において、図１乃至図６に示した構成と対応する構成については同一符号を付し、その説明を省略する。
【００５６】
本実施形態に係る美顔用マスク４０は、突起１５の先端部に永久磁石４２を配設したことを特徴とするものである。肌に磁界を印加することにより、血行の促進及びこりの解消を図ることが知られている。そこで本実施形態では、被装着者Ａの顔を指圧する突起１５の先端部に永久磁石４２を設けることにより、指圧による効果と共に磁気治療効果を得ることを可能としたものである。
【００５７】
永久磁石４２は突起１５の先端部に露出した状態で設けても、また突起１５の内部に埋設された状態で設けても良い。また永久磁石４２としてはフェライト磁石を用いることができ、またその磁力は800〜1800ガウスのものを用いることが望ましい。
【００５８】
また、美顔用マスク４０を製造する方法は、基本的には第１実施形態に係る美顔用マスク１０の製造方法と同一であるが、図４を用いて説明した成形型２３に凹部１７を形成する処理と、図５を用いて説明したマスク素材２５を成形型２３上に吸着させて密着させることによりマスク本体１１を形成する処理との間に、凹部１７の内部に永久磁石４２を装着する処理を実施する工程が付加される。しかしながら、凹部１７に永久磁石４２を装着する処理は極めて簡単であり、これにより製造工程が複雑化するようなことはない。
【００５９】
本実施形態に係る美顔用マスク４０によれば、前記のように一つの美顔用マスク４０により指圧効果と共に磁気治療効果を共に得ることが可能となる。また、美顔用マスク４０を製造するに際しても、簡単な工程の追加のみで対応でき、永久磁石４２を設けても徒に製造コストが上昇するようなことはない。
【００６０】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００６１】
例えば、上記した実施形態では美顔用マスク１０，４０で顔を指圧する構成としたが、マスク本体１１，４１の形状を被装着者Ａの肩、腕、脚等の顔以外の部位の形状に高精度に一致した形状とし、これにより肩、腕、脚等のつぼを指圧する構成とすることも可能である。
【００６２】
また、上記した実施形態では、美顔用マスク１０を製造する方法として、画像生成装置２２で生成された被装着者Ａの三次元画像データを三次元精密加工装置に送り成形型２３を形成した後に、これを型として美顔用マスク１０を製造した。しかしながら、美顔用マスク１０の製造方法はこれに限定されるものではなく、型を用いず直接美顔用マスク１０を立体造形する方法を用いることも可能である。
【００６３】
この型を用いることなく造形物の製造を行う技術としては、例えばインクジェット方式のＲＰ造形装置、或いは光造型技術や液体ジェット技術を用いた３次元造型装置を用いることができる。具体的には、インクジェット方式のＲＰ造形装置としては米国Ｚコーポレーション製３Ｄプリンター（商品名：SpectrumZ510-3DPrinter）を用いることができ、また光造型技術や液体ジェット技術を用いた３次元造型装置としてはディーメック社製の光造型装置ＳＣＳ−８０００、ＳＣＳ−３０００等を用いることができる。
【００６４】
これらの型を用いない３次元造型装置を用いることにより、美顔用マスク１０の製造を容易かつ短時間で製造することが可能となる。
【符号の説明】
【００６５】
１０，４０  美顔用マスク
１１，４１  マスク本体
１５  突起
１７  凹部
２０  三次元計測ユニット
２１  カメラ
２２  画像生成装置
２３  成形型
２５  マスク素材
２７  成形用基台
３５  真空成形装置
４２  永久磁石
Ａ  被装着者
【図１】
2011110152.tif 000003
【図２】
2011110152.tif 000004
【図３】
2011110152.tif 000005
【図４】
2011110152.tif 000006
【図５】
2011110152.tif 000007
【図６】
2011110152.tif 000008
【図７】
2011110152.tif 000009